(57)【要約】【課題】「内容物が外側から視認できるようにする」「写真を添える」という２つのことを、同時に実現するギフトボックスを提供すること。【解決手段】内容物が外側から視認できるように、ボックス本体２の１面に配された平板状の透明部分２１と、写真入れ３と、移動機構４とを備え、移動機構４は、写真入れ３を、透明部分２１と平行に配され透明部分２１の少なくとも一部をボックス本体２の外側から被覆する第１位置と、透明部分２１をボックス本体２の外側から被覆しない第２位置との間で移動させる、ギフトボックスを提供する。【選択図】図１
2020075737.tif 000002
【特許請求の範囲】
【請求項１】
内容物が外側から視認できるように、ボックス本体の１面に配された平板状の透明部分と、
写真入れと、
前記写真入れを、前記透明部分と平行に配され前記透明部分の少なくとも一部を前記ボックス本体の外側から被覆する第１位置と、前記透明部分を前記ボックス本体の外側から被覆しない第２位置との間で移動させる移動機構とを備えることを特徴とする、ギフトボックス。
【請求項２】
前記写真入れは、写真を挟持する２枚の透明板を備えることを特徴とする、請求項１に記載のギフトボックス。
【請求項３】
前記ボックス本体は、前記透明部分の配された１面に直交する平面状の底面を備えることを特徴とする、請求項１又は２に記載のギフトボックス。
【請求項４】
前記移動機構は、前記ボックス本体の前記透明部分の配された１面の周縁に設けられたヒンジであることを特徴とする、請求項１〜３のいずれか１項に記載のギフトボックス。
【発明の詳細な説明】
【技術分野】
【０００１】
本発明は、贈呈品を収容するギフトボックスに関する。
【背景技術】
【０００２】
誕生祝、結婚祝、その他の贈呈品を収容するギフトボックスが知られている。ギフトボックスは、贈呈品を外埃等から保護するために収容するものであるが、贈呈者としては、被贈呈者に贈呈品を見てもらいたいと思うことがある。このため、ギフトボックスの一部を透明にして、内容物が外側から視認できるようにすることが考えられる。例えば特許文献１には、透明／不透明が切り替わる窓部を備えたギフトボックスが開示されている。
【０００３】
また、贈呈者の撮影した写真を、贈呈品と合わせて見せたいことも考えられる。例えば、出産祝を贈呈する時に、生まれた赤ちゃんの写真を見せるものである。この点、特許文献２には、ギフトボックスではないが、故人の写真を添えることのできる納骨箱（容器）が開示されている。容器の内容物とそれに関わる写真を合わせたものである。ただし、納骨箱は内容物が外側から視認されることを期待するものではなく、透明部分はない。
【０００４】
してみれば、「内容物が外側から視認できるようにする」、「写真を添える」という２つの要望は、ギフトボックスにおいて典型的に共存する。しかし、この２つの要望を共に充足したギフトボックスは知られていなかった。
【先行技術文献】
【特許文献】
【０００５】
【特許文献１】特開２０１８−１５００６０号公報
【特許文献２】特開２０１３−０３９３３３号公報
【発明の概要】
【発明が解決しようとする課題】
【０００６】
本発明は、「内容物が外側から視認できるようにする」「写真を添える」という２つのことを、同時に実現するギフトボックスを提供することを課題とする。
【課題を解決するための手段】
【０００７】
本発明のギフトボックスは、
内容物が外側から視認できるように、ボックス本体の１面に配された平板状の透明部分と、
写真入れと、
前記写真入れを、前記透明部分と平行に配され前記透明部分の少なくとも一部を前記ボックス本体の外側から被覆する第１位置と、前記透明部分を前記ボックス本体の外側から被覆しない第２位置との間で移動させる移動機構とを備えることを特徴とする。
【０００８】
この特徴によれば、写真入れを第１位置に配して写真を見ることと、写真入れを第２位置に配して内容物を見ることと、両方を行うことができる。第１位置と第２位置を移動して、写真と内容物の一方を選択して見ることができるので、被贈呈者の楽しみが得られる。特に、写真と内容物とに関連性がある場合に、写真と内容物とを連続して見ることで、ストーリー性を感じることができる。
【０００９】
本発明のギフトボックスは、
前記写真入れは、写真を挟持する２枚の透明板を備えることを特徴とする。
【００１０】
この特徴によれば、写真入れを第１位置に配し、写真を入れない状態で、内容物を見ることができる。第１位置は、写真入れが透明部分を被覆して保護するので、通常用いられる基本的な状態である。この状態で内容物を見ることができる。
【００１１】
本発明のギフトボックスは、
前記ボックス本体は、前記透明部分の配された１面に直交する平面状の底面を備えることを特徴とする。
【００１２】
この特徴によれば、底面をテーブルの上に載置するなどにより、透明部分及び写真入れを直立させることができる。ギフトボックスを装飾性を持った置物として活用することができる。この場合、写真入れが写真立てとして機能する。
【００１３】
本発明のギフトボックスは、
前記移動機構は、前記ボックス本体の前記透明部分の配された１面の周縁に設けられたヒンジであることを特徴とする。
【００１４】
この特徴によれば、写真入れが、透明部分を開閉する扉のように動作する。ギフトボックス全体を書物に見立てれば、写真入れが表紙であると把握することもできる。写真と内容物とを連続して見ることによるストーリー性を強く感じることができる。
【発明の効果】
【００１５】
本発明によれば、「内容物が外側から視認できるようにする」「写真を添える」という２つのことを、同時に実現するギフトボックスを提供することができる。
【図面の簡単な説明】
【００１６】
【図１】図１は、ギフトボックスの構造を示す図である。
【図２】図２は、ギフトブックスの使用状態を示す図である。
【図３】図３は、ギフトブックスのバリエーションを示す図である。
【発明を実施するための形態】
【００１７】
以下、本発明の実施例を説明する。
【００１８】
図１は、ギフトボックスの構造を示す図である。図１（Ａ）に示すように、ギフトボックス１は、ボックス本体２に、写真入れ３が、ヒンジ４を介して付設されている。
【００１９】
ボックス本体２には、透明部分２１が設けられ、透明部分２１を介して内容物を見ることができる。また、平面である底面２２を飾り棚やテーブルの上面に接するように配して、安定して載置し、写真入れ３（に入れられた写真５）を直立して配することができる。
【００２０】
写真入れ３は、溝３１によって２枚の透明板３２が把持されたものである。２枚の透明板に写真５を挟んで使用する。
【００２１】
ヒンジ４は、ボックス本体２に対して写真入れ３を回動させる移動機構である。
【００２２】
図１（Ｂ）は、写真入れ３に写真５を入れ、写真入れ３をボックス本体２に接するまで回動させた状態を示す。写真５によって透明部分２１がボックス本体２の外側から被覆され、ボックス本体２の内容物が見えない。
【００２３】
図２は、ギフトブックスの使用状態を示す図である。図２（Ａ）、（Ｂ）、（Ｃ）はいずれも、ギフトボックス１を透明部分２１が設けられた正面側から見た図である。ボックス本体２の内容物が花であり、写真５は子供の写真であるとして説明する。例えば、写真５に映された子供の誕生祝として花を贈呈するものである。
【００２４】
写真入れ３をボックス本体２の正面を被覆しないように配置すると、図２（Ａ）に示すように、ボックス本体２の内部の花を見ることができる。
【００２５】
写真入れ３をボックス本体２の正面を被覆するように配置すると、図２（Ｂ）に示すように、ボックス本体２の内部の花が見えず、写真５を見ることができる。
【００２６】
図２（Ａ）に示す状態と、図２（Ｂ）に示す状態とは、写真入れ３を回動させるだけの容易な操作で切り替えることができる。両方の状態を視覚的に楽しむことができる。
【００２７】
ここで、写真入れ３に写真５を入れない場合、写真入れ３をボックス本体２の正面を被覆するように配置する場合にも、図２（Ｃ）に示すように、ボックス本体２の内部の花を見ることができる。これは、透明板３２によってもたらされる効果である。
【００２８】
以上詳細に説明したように、本実施例のギフトボックス１によれば、「内容物が外側から視認できるようにする」「写真を添える」という２つのことが同時に実現され、その２つを容易に切替えて視覚的に楽しむことができる。
【００２９】
図３は、ギフトブックスのバリエーションを示す図である。ギフトボックス１の形状は、上記実施例に限定されない。
【００３０】
図３（Ａ）に示すように、写真入れ３の高さを小さくし、写真入れ３が透明部分２１の一部のみを被覆するようにしてもよい。写真入れ３と等高の写真５を入れると、写真入れ３をボックス本体２の正面を被覆するように配置した時（図２（Ｂ）に相当）に、写真５とボックス本体２の内容物（図２では子供の写真と花）を同時に見ることができる。
【００３１】
図３（Ｂ）に示すように、ボックス本体２及び写真入れ３の正面視矩形以外の形状としてもよい。図は、上方を半円形としたものであるが、他の形状も可能である。矩形以外の形状がもたらす柔らかい感覚を得ることができる。
【００３２】
図３（Ｃ）に示すように、底面３２を有さない形状も可能である。この場合、透明部分２１に対向する面を平面として、その平面を飾り棚やテーブルの上面に接するように配して載置する。この場合にも、写真入れ３を移動してボックス本体２の内容物と写真５との両方を視覚的に楽しむことができる。
【００３３】
また、ギフトブックス１のバリエーションとしては、写真入れ３の構造のバリエーションも考えられる。写真入れ３の構造は、溝３１によって２枚の透明板３２が把持されたものに限定されず、２枚の透明板の矩形の４辺のうち３辺を固定して他の１辺から写真５を出し入れするもの、正面側の透明板がヒンジ等で回動して写真５を出し入れするもの等も考えられる。いかなる構造であっても、２枚の透明板３２を備え、、写真入れ３に写真５を入れずに写真入れ３をボックス本体２の正面を被覆するように配置する場合にボックス本体２の内容物を見ることができることが好ましい。
【産業上の利用可能性】
【００３４】
「内容物が外側から視認できるようにする」「写真を添える」という２つのことを、同時に実現するギフトボックスである。多くの個人による利用が考えられる。
【符号の説明】
【００３５】
１    ギフトボックス
２    ボックス本体
２１  透明部分
２２  底面
３    写真入れ
３１  溝
３２  透明板
４    ヒンジ（移動機構）
５    写真
【図１】
2020075737.tif 000003
【図２】
2020075737.tif 000004
【図３】
2020075737.tif 000005